(57)【要約】【課題】内燃機関のピストン冠面の温度上昇を抑制することにより、耐ノック性を向上させる。【解決手段】往復動型内燃機関用のピストン１であって、ピストン１内部に、ピストン冠面１ａ裏付近からスカート部１ｃ下端付近まで延びる冷却通路４を少なくとも一つ設け、冷却通路４内に冷媒５を汽液二相状態で封入する。【選択図】      図１
2006152879.tif 000002
【特許請求の範囲】
【請求項１】
往復動型内燃機関用のピストンであって、
前記ピストン内部に、ピストン冠面裏付近からスカート部下端付近まで延びる冷却通路を少なくとも一つ設け、
前記冷却通路内に冷媒を汽液二相状態で封入したことを特徴とする内燃機関用ピストン。
【請求項２】
前記冷却通路は、下端に近づくほど前記ピストンの外周に近づく請求項１に記載の内燃機関用ピストン。
【請求項３】
前記冷却通路の前記ピストン冠面裏付近もしくは前記スカート部下端付近の少なくともいずれか一方の内壁面に、前記冷却通路内に向けて突出する凸部を備える請求項１または２に記載の内燃機関用ピストン。
【発明の詳細な説明】
【技術分野】
【０００１】
本発明は、内燃機関のピストンの構造に関し、特に、運転中にピストンを冷却し、耐ノック性等を向上させるための構造に関する。
【背景技術】
【０００２】
ピストンは、吸気行程ではエンジンのシリンダ内に混合気（筒内直噴の場合は吸気のみ）を導入するよう下降し、圧縮行程では吸気・排気バルブがともに閉じた状態でシリンダ内の混合気を圧縮するよう上昇し、爆発行程では爆発による圧力に押し下げられることによって、コネクティングロッドを介してクランクシャフトを回転させ、排気行程では、燃焼後のガスをシリンダ外へ押し出すよう上昇する。
【０００３】
ところが、爆発行程では混合気が爆発することによってシリンダ内は高温となり、シリンダ内に晒されているピストン冠面も高温となる。
【０００４】
ピストン冠面が高温になると、圧縮行程において、圧縮されることにより温度上昇する吸気がピストン冠面の熱によって更に高温となり、所定の点火時期よりも早く点火してしまう、いわゆるノッキングが発生しやすいという問題が生じる。
【０００５】
特許文献１には、ピストン冠面を冷却するための構造として、ピストン冠部の径方向に蛇行して埋設した吸熱部と、スカート部下端付近に設けた放熱部と、これら吸熱部と放熱部とを接続するヒートパイプとから構成されるピストン冷却装置が開示されている。
【特許文献１】実公昭６２−２４７４１号
【発明の開示】
【発明が解決しようとする課題】
【０００６】
しかしながら、特許文献１に記載の装置では、ヒートパイプ放熱部付近に冷却機能を有するシステムを別途備える必要があり、構造が複雑化してしまう。
【０００７】
また、吸熱して高温となった冷媒を、放熱部において冷却オイルを噴射することにより冷却するので、ピストン冠部の温度上昇を抑制することは可能であるが、ピストンスカートの温度はピストン冠面に比べて相対的に低くなる。
【０００８】
さらに、ヒートパイプの外壁部とピストンとの間に金属接触伝熱層が形成されるため、この部位での熱伝達性能が悪化する。
【０００９】
そこで、本発明では、簡単な構造で効果的にピストン冠面の温度上昇を抑制することが可能な冷却装置とすることを目的とする。
【課題を解決するための手段】
【００１０】
本発明の内燃機関用ピストンは、往復動型内燃機関用のピストンであって、前記ピストン内部に、ピストン冠面裏付近からスカート部下端付近まで延びる冷却通路を少なくとも一つ設け、前記冷却通路内に冷媒を汽液二相状態で封入する。
【発明の効果】
【００１１】
本発明によれば、冷却通路内に封入した冷媒が、機関運転中に高温となるピストン冠面から熱を吸収し、ピストンの往復動時の動的エネルギにより冷却通路内を拡散運動し、吸収した熱をピストンスカート部へ放出するので、ピストン冠面の温度上昇を抑制することができる。
【発明を実施するための最良の形態】
【００１２】
以下本発明の実施形態を図面に基づいて説明する。
【００１３】
図１はポート噴射式のガソリンエンジンに適用する第１実施形態のピストンの構造を説明するための図であり、図面の上側が燃焼室側、下側がクランクケース側である。
【００１４】
１はピストン、２はエンジンのシリンダブロックに設けられ、ピストン１が往復動可能に収まるシリンダライナー、３はピストン１と図示しないクランクシャフトとを接続するコネクティングロッド、４はピストン１の内部に設けられた冷却通路、１ｂはピストン１の外周部とシリンダライナー２との間をシールするためのピストンリングである。
【００１５】
ピストンリング１ｂは複数備えられ、オイルが燃焼室内に混入しないように、ピストン下降時にシリンダライナ２壁面のオイルを掻き落としたり、爆発によって膨張した燃焼ガスがクランクケース内に吹き抜けないようにする役割を果たす。
【００１６】
コネクティングロッド３は、一方の端部がピストンピン１ｄによりピストン１に回転可能に連結され、他方の端部はクランクシャフトに回転可能な状態で連結される。これにより、燃焼による熱エネルギーによって圧力上昇した混合気が膨張時にする仕事をクランクシャフトの回転運動として取り出すことができる。以下、ピストン１の上面をピストン冠面１ａ、ピストンピン１ｄより下の部分をピストンスカート１ｃという。
【００１７】
冷却通路４は、ピストン１内部のピストン冠面１ａ付近からピストン摺動方向下向きにピストン１の長手方向の軸心と平行に延びる通路であり、ピストンスカート１ｃ側の端部は図４に示すようなテーパプラグ７やネジプラグ８で封栓される。内部には冷媒５が汽液二相状態で封入されている。
【００１８】
冷媒５としてはナフタレン、Ｎａ、ＮａＫ等の高融点剤を使用し、封入する量は使用する冷媒５に応じて調整する。なお、上記の他にも、冷媒剤として機能する液体であれば使用可能である。
【００１９】
冷却通路４は少なくとも一つ以上設けることとし、流路断面の形状、大きさは使用するエンジンに応じて調整する。
【００２０】
また、冷却通路４は、ピストン１を鋳造等により成形した後に機械加工により成形してもよいし、ピストン１を鋳造する際に中子を用いて成形してもよい。
【００２１】
図２は図１のＡ−Ａ矢視図である。図２に示すように、本実施形態では冷却通路４をピストンピン１ｄに対して左右対称に設ける。
【００２２】
上記のように構成したピストン１は、機関運転中はシリンダライナ２内を往復動し、吸気行程では図示しない吸気バルブが開いた状態で下降し、圧縮行程では図示しない吸気・排気バルブがともに閉じた状態で上昇し、混合気を圧縮する。爆発行程では燃焼により膨張する混合気の圧力によって押し下げられる。排気行程では図示しない排気バルブが開いた状態で上昇し、既燃のガスを図示しない排気ポートへと押し出す。
【００２３】
次に冷却通路４の冷却作用について説明する。
【００２４】
上記の爆発行程において、ピストン冠面１ａは、燃焼することによって高温となった混合気に晒される。
【００２５】
運転中にピストン冠面１ａが高温になると、圧縮行程において圧縮により温度上昇する混合気がピストン冠面１ａの熱によってさらに加熱されることになり、上死点付近で火花点火する前に混合気が自己着火してしまう、いわゆるノッキングを生じる場合がある。
【００２６】
ところが、本実施形態では、冷却通路４内の冷媒５がピストン１の上下動時の動的エネルギーによって冷却通路４にて拡散運動するため、ピストン冠面１ａ付近では高温の燃焼ガスによって加熱されたピストン冠面１ａの熱を吸収し、相対的に低温となるピストンスカート１ｃにて放熱する。
【００２７】
これにより、ピストン冠部１ａ付近の温度は低下し、ピストンスカート１ｃの温度は上昇して、ピストン１の摺動方向の温度分布が一様に近づく。
【００２８】
この冷却通路４による効果を図３に示す。図３は、縦軸がピストン冠面１ａからの軸方向下向きの長さ、横軸がピストンの温度であり、実線は冷却通路４を設けた場合、点線は比較のために記した冷却通路４を設けない場合である。
【００２９】
図に示すように、冷却通路４を備える場合は、冷却通路４を備えない場合に比べてピストン冠面１ａの温度が低くなり、また、ピストン冠面１ａからの長さに対するピストン温度の変化が小さくなる。
【００３０】
以上により、本実施形態による効果をまとめると以下のようになる。
【００３１】
冷媒５との熱交換によってピストン冠面１ａの温度上昇が抑制されるので、圧縮行程時の自己着火を防止でき、耐ノック性が向上する。
【００３２】
ピストン冠面１ａでは冷媒５により吸熱され、ピストンスカート１ｃでは冷媒５からの放熱により温度上昇することによってピストン１の摺動方向の温度分布が一様に近づくので、ピストン１全体の膨張率が一様に近づき、高い円筒度を保つことができる。これにより、機関運転中のピストン１の温度上昇を抑えつつ、さらに温度上昇した場合にも高い円筒度を保つことが可能になるので、機関運転中のピストン１とシリンダライナ２のクリアランスを適正に維持し、フリクションを低減させることができる。
【００３３】
冷却通路４はピストン材に直接加工を施して形成するので、別部材の配管をピストン１の内側に埋設する場合のように熱伝達層が存在することがなく、熱伝達性能に優れる。
【００３４】
冷媒５が冷却通路４に封入する構成としたので、ナフタレンやＮａＫ等の高融点剤を使用することができる。
【００３５】
第２実施形態について本実施形態の冷却通路４の概略を表す図５を参照して説明する。
【００３６】
本実施形態のピストン１の構造は基本的に第１実施形態と同様であるが、冷却通路４がピストン１の長手方向の軸心に対して傾いて形成される点が異なる。
【００３７】
具体的には、図５に示すように、ピストン１の下端側ほど冷却通路４はピストン１の外周部に近づいている。
【００３８】
このように冷却通路４を形成することにより、冷却通路４の通路長を第１実施形態に比べて長く、つまり冷却通路４内壁の表面積を大きくすることができるので、冷媒５からの熱の移動量が増し、ピストン１の摺動方向の温度分布をさらに一様に近づけることができる。
【００３９】
第３実施形態について本実施形態の冷却通路４の概略を現す図６を参照して説明する。
【００４０】
本実施形態のピストン１の構造も、基本的に第１実施形態と同様であり、冷却通路４の構造のみが異なる。
【００４１】
本実施形態の冷却通路４は、冷却通路４の上端付近および下端付近に、冷却通路４内に突出する板状のフィン６がそれぞれ１枚ずつ設けられる。
【００４２】
フィン６は機械加工によって冷却通路４を成形するときに成形してもよいし、ピストン１を鋳込む際に中子を用いて成形してもよい。また、別途成形した板状部材を冷却通路４成形後に取り付けてもよい。
【００４３】
これにより冷媒５とピストン１との間の熱輸送量が増加するので、ピストン１の摺動方向の温度分布をさらに一様に近づけることができる。
【００４４】
なお、フィン６を設ける位置、およびその形状、枚数は上記に限られるものではなく、使用するエンジンのスペックに応じて定まる。
【００４５】
また、本発明は上記の実施の形態に限定されるわけではなく、特許請求の範囲に記載の技術的思想の範囲内で様々な変更を成し得ることは言うまでもない。
【産業上の利用可能性】
【００４６】
本発明は、筒内直接噴射式、吸気通路内噴射式を問わず、内燃機関のピストンに適用可能である。
【図面の簡単な説明】
【００４７】
【図１】第１実施形態のピストンの概略図である。
【図２】図１のＡ−Ａ矢視図である。
【図３】ピストンの摺動方向の温度分布を表す図である。
【図４】冷却通路の封止方法の例を表す図である。
【図５】第２実施形態のピストンの概略図である。
【図６】第３実施形態のピストンの概略図である。
【符号の説明】
【００４８】
１    ピストン
２    シリンダライナ
３    コネクティングロッド
４    冷却通路
５    冷媒
６    フィン
【図１】
2006152879.tif 000003
【図２】
2006152879.tif 000004
【図３】
2006152879.tif 000005
【図４】
2006152879.tif 000006
【図５】
2006152879.tif 000007
【図６】
2006152879.tif 000008